(57)【要約】    【課題】  対象面上の塵埃・塵芥・汚れ・こびり付きその他の処理対象物のうち大きいものと細かいものを何れも適切に処理し得る処理材保持ヘッド及び処理具の提供。    【解決手段】  全部又は部分が底部側に位置するように拭材又は洗浄材を保持し得る。処理材保持ヘッドＣの底部Ｃ１のうち、主な処理方向の一端及びその一端に近い部分である一端側部分のほかは、所定の平面に沿う平面状部であり、前記一端側部分は、平面状部Ｃ１ａから前記一端に向かって上方に傾斜した上方傾斜部Ｃ１ｂとする。【選択図】      図１
2016043190.tif 000002
【特許請求の範囲】
【請求項１】
全部又は部分が底部側に位置するように処理材を保持してその処理材により対象物を処理するための処理材保持ヘッドであって、
前記処理材保持ヘッドの底部のうち、主な処理方向の一端及びその一端に近い部分である一端側部分のほかは、所定の平面に沿う平面状部であり、前記一端側部分は、前記平面状部から前記一端に向かって上方に傾斜した上方傾斜部であることを特徴とする処理材保持ヘッド。
【請求項２】
上記処理材保持ヘッドの底部のうち上方傾斜部が、下側に凸に湾曲している請求項１記載の処理材保持ヘッド。
【請求項３】
上記処理材保持ヘッドが、平面視において長手方向と短手方向を有し、短手方向が主な処理方向である請求項１又は２記載の処理材保持ヘッド。
【請求項４】
請求項１、２又は３記載の処理材保持ヘッドを備えた処理具。
【発明の詳細な説明】
【技術分野】
【０００１】
本発明は、床面等の対象面の清掃や洗浄等の処理用の処理材を保持して処理を行うための処理材保持ヘッド及びその処理材保持ヘッドを備えた処理具に関する。
【背景技術】
【０００２】
特開平６−３１１９５４号公報には、モップ本体１１のベース体１８における底面１９に不織布シート２０を装着し、この不織布シートにて汚れを捕集するモップ１０（清掃用具）において、ベース体１８の底面が、中央部１８Ｃが凸形状に形成され、清掃方向に段差部２１が設けられたもの、或いは、ベース体３２として、底面３３が、モップ本体３１の清掃方向ａ、ｂにおける中央部３３ａを凸とし、両端部３３ｂ、３３ｃへ向い湾曲して湾曲面に構成されたものが開示されている。
【０００３】
モップ本体２のベース体５における底面６が平坦面であるものでは、清掃時に、図１１に示すように、底面周縁の幅Ｗａの狭い領域に対応した不織布シート７の狭い部分でのみ床８上の汚れが掻き取られる。
【０００４】
ところが、前記のように底面に段差部２１を設けたモップでは、段差部に隣接した汚れ掻き取り箇所に対応した部分で、床等の被清掃部材に接触するので、汚れ掻き取り箇所が分散し、汚れを清掃エレメントの広い領域で掻き取ることができる。
【０００５】
また、前記のように底面が、中央部において凸に、清掃方向両端部へ向い湾曲する湾曲面であるモップにおいては、清掃方向に往復移動させたとき、清掃エレメントの全面が被清掃面に接する。
【０００６】
このように、これらのモップによれば、汚れの捕集領域を広くして、汚れ捕集効率を向上させることができるものとされている。
【０００７】
しかしながら、底面に段差部を設けたモップは、前記公報の段落００１９に記載のように、まず、図４（Ａ）の静止状態から、モップ本体１１を正の清掃方向ａへ移動させると、モップ本体１１はベース本体１８の一側部１８Ａを下向きにして傾斜する。このとき、ベース本体１８の底面１９は、一側部１８Ａ側の前半面において、段差部２１に隣接した幅Ｗ１、Ｗ２、Ｗ３の汚れ掻き取り箇所（以下、単に、汚れ掻き取り箇所Ｗ１、Ｗ２、Ｗ３と称する）で不織布シート２０を介し床２３に接触し、これら汚れ掻き取り箇所Ｗ１、Ｗ２、Ｗ３に対応した不織布シート２０の部分で、床２３上の汚れを掻き取る。
【０００８】
また、底面を湾曲面に構成したモップは、前記公報の段落００３２に記載のように、図９（Ａ）の静止状態から、モップ本体３１を正の清掃方向ａへ移動させると、モップ本体３１は、ベース体３２の側面３５Ａ側を下向きにし、底面３３の前半部の湾曲面に沿って傾斜する。このとき、この底面３３の前半湾曲面が不織布シート２０を介して床２３に接するので、この底面３３の前半湾曲面に対応した不織布シート２０の部分が、床２３上の汚れを捕集する。
【０００９】
すなわち、特開平６−３１１９５４号公報記載の清掃用具は、汚れの捕集領域を広くして、汚れ捕集効率を向上させることができるものではあっても、清掃対象面に存在する塵芥・塵埃等のうち大きいものと細かいものを何れも適切に処理し得るものではない。
【先行技術文献】
【特許文献】
【００１０】
【特許文献１】特開平６−３１１９５４号公報
【発明の概要】
【発明が解決しようとする課題】
【００１１】
本発明は、対象面上の塵埃・塵芥・汚れ・こびり付きその他の処理対象物のうち大きいものと細かいものを何れも適切に処理し得る処理材保持ヘッド及び処理具を提供することを目的とする。
【課題を解決するための手段】
【００１２】
本発明の処理材保持ヘッド及び処理具は、次のように表すことができる。
【００１３】
(1) 全部又は部分が底部側に位置するように処理材を保持してその処理材により対象物を処理するための処理材保持ヘッドであって、
前記処理材保持ヘッドの底部のうち、主な処理方向の一端及びその一端に近い部分である一端側部分のほかは、所定の平面に沿う平面状部であり、前記一端側部分は、前記平面状部から前記一端に向かって上方に傾斜した上方傾斜部であることを特徴とする処理材保持ヘッド。
【００１４】
底部側に処理材を保持して、対象面上を主な処理方向の一方である上方傾斜部が存在する向きを前方にして処理材保持ヘッドを摺動させる場合、平面状部における処理材が対象面に接し、上方傾斜部における処理材は前方に位置するほど対象面から上方に離隔する状態で対象面を処理することとなる。
【００１５】
そのため、対象面上の塵埃・塵芥・汚れ・こびり付きその他の処理対象物のうち大きいものは上方傾斜部における処理材（例えば拭材、硬毛や剛毛を含む立毛が植毛された洗浄材）において、細かいものは上方傾斜部よりも後方の平面状部における処理材において適切に処理（例えば処理材による捕捉・拭き取りや除去・洗浄等の処理）され易く、様々な塵埃・塵芥・汚れ・こびり付きその他の処理対象物を効率良く処理し得る。
【００１６】
また、上方傾斜部が存在する向きを前方にして処理材保持ヘッドを摺動させることは、底部側に保持した処理材を、塵埃・塵芥等の処理対象物を捕捉した状態で平面（例えば床面）から上向きの傾斜面へ或いは上向き傾斜部（例えば、塵取りの掃き込み口等の上向傾斜面や上向き傾斜部）を経て摺動させる上で好適である。
【００１７】
(2) 上記処理材保持ヘッドの底部のうち上方傾斜部が、下側に凸に湾曲している上記(1)記載の処理材保持ヘッド。
【００１８】
上方傾斜部が、下側に凸に湾曲している場合、床面等と壁面との境界部が内側に凹の湾曲面である部分に適合するので、そのような箇所の処理に好適である。
【００１９】
(3) 上記処理材保持ヘッドが、平面視において長手方向と短手方向を有し、短手方向が主な処理方向である上記(1)又は(2)記載の処理材保持ヘッド。
【００２０】
(4) 上記(1)、(2)又は(3)記載の処理材保持ヘッドを備えた処理具。
【発明の効果】
【００２１】
本発明の処理材保持ヘッド及び処理具によれば、底部側に処理材を保持した状態で、対象面上を主な処理方向の一方である上方傾斜部が存在する向きを前方にして処理材保持ヘッドを摺動させることにより、対象面上の塵埃・塵芥・汚れ・こびり付きその他の処理対象物のうち大きいものは上方傾斜部における処理材（例えば拭材、硬毛や剛毛を含む立毛が植毛された洗浄材）において、細かいものは上方傾斜部よりも後方の平面状部における処理材において適切に処理（例えば処理材による捕捉・拭き取りや除去・洗浄等の処理）され易く、様々な塵埃・塵芥・汚れ・こびり付きその他の処理対象物を効率良く処理し得る。
【００２２】
また、上方傾斜部が存在する向きを前方にして処理材保持ヘッドを摺動させることは、底部側に保持した処理材を、塵埃・塵芥等の処理対象物を捕捉した状態で平面から上向きの傾斜面へ或いは上向き傾斜部を経て摺動させる上で好適である。
【図面の簡単な説明】
【００２３】
【図１】処理材保持ヘッドの上方斜視図である。
【図２】処理材保持ヘッドの正面図である。
【図３】処理材保持ヘッドの平面図である。
【図４】処理材保持ヘッドの右側面図である。
【図５】処理材保持ヘッドの背面図である。
【図６】処理材保持ヘッドの底面図である。
【図７】処理材保持ヘッドの下方斜視図である。
【図８】クッションパッドを保持した状態の処理材保持ヘッドの上方斜視図である。
【図９】クッションパッドを保持した状態の処理材保持ヘッドの右側面図である。
【図１０】クッションパッドを保持した状態の処理材保持ヘッドの背面図である。
【図１１】クッションパッドを介してシート状拭材を保持した状態の処理具の要部上方斜視図である。
【図１２】パイル拭材を保持した状態の処理具の要部上方斜視図である。
【図１３】パイル拭材を保持した状態の処理具の要部底面図である。
【発明を実施するための形態】
【００２４】
[1] 本発明の実施の形態を、図面を参照しつつ説明する。
【００２５】
図面は何れも本発明の実施の形態の一例としての処理具及び処理材保持ヘッドに関するものである。
【００２６】
(1) 処理具Ａは、処理材保持ヘッドＣを備える。処理材保持ヘッドＣは、各種の拭材や洗浄材等の処理材を、直接又は中間材を介して保持し、その処理材により対象物を処理し得る。
【００２７】
(2) 処理材保持ヘッドＣは、主に合成樹脂からなり、平面視長方形状をなす。
【００２８】
処理材保持ヘッドＣの主な処理方向は、平面視における短手方向である。
【００２９】
処理材保持ヘッドＣの底部Ｃ１のうち、主な処理方向の一端及びその一端に近い部分である一端側部分のほかは、所定の平面に沿う平面状部Ｃ１ａであり、前記一端側部分は、前記平面状部Ｃ１ａから前記一端に向かって上方に傾斜した上方傾斜部Ｃ１ｂである。
【００３０】
この例では、平面視において主な処理方向における上方傾斜部Ｃ１ｂと平面状部Ｃ１ａの比率はほぼ２：３である。
【００３１】
処理材保持ヘッドＣの底部Ｃ１のうち上方傾斜部Ｃ１ｂは、ほぼ６０度中心角にわたり下側に凸に湾曲している。
【００３２】
(3) 処理材保持ヘッドＣの平面状部Ｃ１ａの上側中央部には、使用者が処理材保持ヘッドＣを操作するための柄体Ｄの基部を回動自在に連結するための連結部Ｃ２を備える。処理材保持ヘッドＣと柄体Ｄは、柄体Ｄが何れの向きにも何れの傾斜角にも傾倒し得るように連結されているが、これに限るものではない。処理材保持ヘッドＣの形状としては、底部Ｃ１、連結部Ｃ２及び連結部Ｃ２の周囲の平面視略方形状をなす凹部Ｃ３を除いた部分を特徴とする。
【００３３】
(4) 処理材保持ヘッドＣの底部Ｃ１のうち主な処理方向における両端縁部（上方傾斜部Ｃ１ｂ側の端縁部及び平面状部Ｃ１ａ側の端縁部）には、面ファスナを構成する一方の部材である面ファスナ部材Ｅが設けられている。
【００３４】
また、処理材保持ヘッドＣの上側の、長手方向両側における主な処理方向（短手方向）の両端縁部（上方傾斜部Ｃ１ｂ側の端縁部及び平面状部Ｃ１ａ側の端縁部）には、４箇所それぞれに、不織布からなる拭材を押し込むことにより挟持し得る挟持用切込部Ｃ４を有する。
【００３５】
(5) 処理材として不織布等からなるシート状拭材Ｇを用いる場合、図８乃至図１１に示すように中間材としてのクッションパッドＢを処理材保持ヘッドＣの底部Ｃ１に保持し、このクッションパッドＢを介在させてシート状拭材Ｇを保持する。
【００３６】
クッションパッドＢは、図８乃至１１に示すように処理材保持ヘッドＣの底部Ｃ１よりも一回り大きな長方形板状をなし、クッション性及び可撓性を有し、その上面部全面が、面ファスナを構成する他方の部材である面ファスナ部材Ｆにより構成されている。処理材保持ヘッドＣの底部Ｃ１の面ファスナ部材Ｅに、クッションパッドＢの上面部の面ファスナ部材Ｆを接合させることにより、底部Ｃ１にクッションパッドＢを保持することができる。
【００３７】
クッションパッドＢを介在させた底部Ｃ１の側を、底部Ｃ１及びクッションパッドＢよりも広いシート状拭材Ｇの中間部分により覆った状態で、そのシート状拭材ＧのうちクッションパッドＢからはみ出した両側部をそれぞれ処理材保持ヘッドＣの上部に折り返し、その両折り返し部分を、処理材保持ヘッドの上部に設けた前記各挟持用切込部Ｃ４により着脱可能に固定することにより、クッションパッドＢが介在した状態で処理材保持ヘッドＣの底部Ｃ１の側にシート状拭材Ｇの中間部分を保持することができる。
【００３８】
このようにしてクッションパッドＢを介在させて底部Ｃ１の側に保持したシート状拭材Ｇの中間部分により、床面等の対象面を拭くことができる。
【００３９】
(6) 処理材としての拭材の他の例として、処理材保持ヘッドＣの底部Ｃ１より一回り大きい（これに限るものではない）長方形状の基布Ｈ１の下側における主な処理方向である短手方向の一端部を長いパイルによる嵩高部Ｈ２に形成し、残部を極細繊維製若しくはその他の繊維製の比較的短いパイル長のパイルによる短パイル部Ｈ３とすると共に、基布Ｈ１の上側には面ファスナを構成する他方の面ファスナ部材を設けたパイル拭材Ｈを挙げることができる。
【００４０】
このパイル拭材Ｈを、嵩高部Ｈ２が処理材保持ヘッドＣの底部Ｃ１のうち上方傾斜部Ｃ１ｂ側に位置するように処理材保持ヘッドＣの底部Ｃ１の面ファスナ部材Ｅに前記他方の面ファスナ部材を接合させて底部Ｃ１に保持することにより、パイル拭材Ｈにより床面や床面付近の壁面等の対象物を拭くことができる。
【００４１】
(7) 処理材としての洗浄材（図示を略す）としては、例えば、処理材保持ヘッドＣの底部Ｃ１に一致するか一回り大きい基布の下側に、硬毛や剛毛を含む洗浄用立毛を植毛により満遍なく有し、前記基布の上側には面ファスナを構成する他方の面ファスナ部材を設けたものを用いることができる。この洗浄材を、処理材保持ヘッドＣの底部Ｃ１の面ファスナ部材Ｅに前記他方の面ファスナ部材を接合させて底部Ｃ１に保持することにより、洗浄剤の下側の洗浄用立毛により対象物の洗浄処理を行うことができる。
【００４２】
(8) 処理材保持ヘッドＣの底部Ｃ１の側に処理材（拭材又は洗浄材）を保持した状態で、対象面上を主な処理方向の一方である上方傾斜部Ｃ１ｂが存在する向きを前方にして処理材保持ヘッドＣを摺動させた場合、平面状部Ｃ１ａにおける処理材が対象面に接し、上方傾斜部Ｃ１ｂにおける処理材は前方に位置するほど対象面から上方に離隔する状態で対象面を処理することとなる。
【００４３】
処理材が不織布からなるシート状拭材Ｇである場合、対象面上の塵埃若しくは塵芥等のうち大きいものは上方傾斜部Ｃ１ｂにおけるシート状拭材Ｇにおいて、細かいものは上方傾斜部Ｃ１ｂよりも後方の平面状部Ｃ１ａにおけるシート状拭材Ｇにおいて適切に捕捉され易く、様々な塵埃・塵芥汚れ等を効率良く拭き取ることができる。
【００４４】
処理材がパイル拭材Ｈである場合、対象面上の塵埃若しくは塵芥等のうち大きいものは上方傾斜部Ｃ１ｂに位置する嵩高部Ｈ２において、細かいものは上方傾斜部Ｃ１ｂよりも後方の平面状部Ｃ１ａにおける短パイル部Ｈ３において適切に捕捉され易く、様々な塵埃・塵芥汚れ等を効率良く拭き取ることができる。また、嵩高部Ｈ２は、床面の他、床面付近の壁面等の清掃に好適である。
【００４５】
処理材が硬毛や剛毛を含む立毛が植毛された洗浄材である場合、対象面上の汚れ・こびり付き等のうち大きいものは上方傾斜部Ｃ１ｂにおける洗浄材において、細かいものは上方傾斜部Ｃ１ｂよりも後方の平面状部Ｃ１ａにおける洗浄材において適切に除去・洗浄等され易く、様々な汚れ・こびり付きその他の処理対象物を効率良く洗浄処理し得る。
【００４６】
また、上方傾斜部Ｃ１ｂが存在する向きを前方にして処理材保持ヘッドＣを摺動させることは、処理材保持ヘッドＣの底部Ｃ１の側に保持した処理材を、塵埃・塵芥等の処理対象物を捕捉した状態で平面（例えば床面）から上向きの傾斜面へ或いは上向き傾斜部（例えば、塵取りの掃き込み口等の上向傾斜面や上向き傾斜部）を経て摺動させる上で好適である。
【００４７】
更に、上方傾斜部Ｃ１ｂは下側に凸に湾曲しているので、床面等と壁面との境界部が内側に凹の湾曲面である部分の処理に好適である。
【００４８】
[2] 本発明の実施の形態を、上記以外の形態を含めて更に説明する。
【００４９】
(1) 本発明の処理具は、処理材の全部又は部分が底部に位置するようにその処理材を保持し、その処理材により対象物の処理を行うための処理材保持ヘッドを備える。
【００５０】
(2) 処理材保持ヘッドは、合成樹脂、金属、その他の材料を単独で又は組み合わせてなる変形し難い基体を主体とする。
【００５１】
また処理材保持ヘッドは、操作用の柄が連結されたものとすることや、操作用の把手を備えるものとすることができる。
【００５２】
(3) 処理材の例としては、不織布等のシート状の拭材や多数のカットパイルおよび／またはループパイル等のパイルを備えた布状の拭材等の拭材、ブリッスル若しくはその他の硬毛や剛毛を含む立毛がシート状の基体に多数植毛された洗浄材等の洗浄材を挙げることができる。拭材のうち主な処理方向の一端部を嵩高に形成し、嵩高部分を処理材保持ヘッドの底部のうち上方傾斜部側に位置させることもできる。
【００５３】
(4) 処理材を処理材保持ヘッドに保持するには、例えば、処理材保持ヘッドと処理材にそれぞれ面ファスナの一方の部材及び他方の部材を設け、その面ファスナを用いて処理材保持ヘッドの底部側に処理材を着脱可能に保持することにより、或いは例えば、処理材保持ヘッドの底部を、（直接に  又は、面ファスナによりその処理材保持ヘッドの底部にクッションパッド等の中間材を保持した上でその中間材を介在させて）前記底部及び中間材よりも全体として広いシート状の拭材等の処理材の中間部分により覆った状態で、その処理材のうち前記底部及び中間材からはみ出した両側部をそれぞれ処理材保持ヘッドの上部に折り返し、その両折り返し部分を、処理材保持ヘッドの上部に設けた押圧部又は挟持部等の処理材固定部により着脱可能に固定することにより行うことができるが、これらに限るものではない。
【００５４】
(5) 処理材保持ヘッドの底部のうち、主な処理方向の一端及びその一端に近い部分である一端側部分のほかは、所定の平面に沿う平面状部であり、前記一端側部分は、前記平面状部から前記一端に向かって上方に傾斜した上方傾斜部である。
【００５５】
操作用の柄の連結部や操作用の把手を設ける部分は、例えば、処理材保持ヘッドのうち平面状部が位置する部分の上側とすることができる。
【００５６】
処理材保持ヘッドの平面視形状は、特定のものであることを要しないが、例えば、平面視において長手方向と短手方向を有するものとすることができる。
【００５７】
処理材保持ヘッドの主な処理方向は、例えば、処理材保持ヘッドの平面視形状等に応じ、処理効率が良い方向とすることができるが、平面視において長手方向と短手方向を有するものの場合の処理材保持ヘッドの主な処理方向は、一般には短手方向である。
【００５８】
上方傾斜部が存在する側の端縁部又は上方傾斜部が存在する側の端縁部及びその逆側の端縁部は、直線状（特に、長手方向の直線状）であることが好ましい。
【００５９】
平面視において主な処理方向における上方傾斜部と平面状部の比率は、例えば、１：２乃至２：１とすることができるが、好適な例としては、２：３程度を挙げることができる。
【００６０】
処理材保持ヘッドの底部のうち上方傾斜部は、下側に凸に湾曲しているものとすることができるが、必ずしもこれに限るものではなく、例えば傾斜平面状とすることもできる。
【００６１】
上方傾斜部の底部は、例えば下側に凸に湾曲している場合、１０乃至９０度（好ましくは３０乃至７０度）中心角にわたり湾曲したものとすることができる。また、上方傾斜部の底部は、例えば傾斜平面状である場合、１０乃至６０度（好ましくは２０乃至５０度）の上向き傾斜角とすることができる。
【符号の説明】
【００６２】
Ａ      処理具
Ｂ      クッションパッド
Ｃ      処理材保持ヘッド
Ｃ１    底部
Ｃ１ａ  平面状部
Ｃ１ｂ  上方傾斜部
Ｃ２    連結部
Ｃ３    凹部
Ｃ４    挟持用切込部
Ｄ      柄体
Ｅ      面ファスナ部材
Ｆ      面ファスナ部材
Ｇ      シート状拭材
Ｈ      パイル拭材
Ｈ１    基布
Ｈ２    嵩高部
Ｈ３    短パイル部
【図１】
2016043190.tif 000003
【図２】
2016043190.tif 000004
【図３】
2016043190.tif 000005
【図４】
2016043190.tif 000006
【図５】
2016043190.tif 000007
【図６】
2016043190.tif 000008
【図７】
2016043190.tif 000009
【図８】
2016043190.tif 000010
【図９】
2016043190.tif 000011
【図１０】
2016043190.tif 000012
【図１１】
2016043190.tif 000013
【図１２】
2016043190.tif 000014
【図１３】
2016043190.tif 000015